Podtech/llm-jp-corpus-v4-ja_patent huggingface dataset:
【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
メディアデータを送信する方法であって、前記方法は、
シンクデバイスへのデータ接続を、ソースデバイスによって、確立することと、
リアルタイム  ストリーミング  プロトコル（ＲＴＳＰ）機構を使用してサービスの発見を、前記ソースデバイスによって、実行することと、ここにおいて、前記サービスの発見は、前記ソースデバイスへの前記シンクデバイスのメディア  アグノスティック  ディスプレイの複数の属性と、前記ソースデバイスと前記シンクデバイスの間の複数の接続のタイプのうちの１つの接続のタイプを提供し、
前記接続のタイプと前記メディア  アグノスティック  ディスプレイの複数の属性に少なくとも部分的に基づいて、前記ソースデバイスにおいてアプリケーションデータを、前記ソースデバイスによって、カプセル化することと、
前記ソースデバイスと前記シンクデバイスの間のストリーミングセッションを、前記ソースデバイスによって、確立することと、および
前記シンクデバイスに前記カプセル化されたアプリケーションデータを前記ストリーミングセッション中の前記ソースデバイスによって、送ることと、
を備え、
ここにおいて、前記メディア  アグノスティック  ディスプレイの複数の属性は、
ディスプレイ  デバイスの情報、複数のディスプレイ  オーディオ  フォーマット、複数のディスプレイ  ビデオ  フォーマット、複数のディスプレイ３Ｄビデオ  フォーマット、コンテンツの保護、グラフィックス  エンティティ  エンジン、およびベンダ特有の情報、のうちの１つまたは複数を含む、
方法。
【請求項２】
前記カプセル化されたアプリケーションデータに少なくとも部分的に基づいておよび前記シンクデバイスのディスプレイにおいて、前記ソースデバイスのディスプレイを映すことと、
前記ソースデバイスからの前記ストリーミングセッションの１つまたは複数のストリーミングの属性を制御するための相互作用を、前記ソースデバイスにおいてユーザ  インターフェース  バック  チャネルを介して、可能にすることと、および
質の悪い接続を示す前記複数のストリーミングの属性に応答して、前記ストリーミングセッションの前記１つまたは複数のストリーミングの属性を、前記ソースデバイスによって適応することと、
をさらに備える、請求項１に記載の方法。
【請求項３】
前記１つまたは複数のストリーミングの属性は、解像レート、リフレッシュレート、コーデックレベル、コーデックプロファイル、特定のデータストリームを有効にすること、特定のデータストリームを無効にすること、ＴＣＰ上でデータストリームを有効にすること、ＴＣＰ上でデータストリームを無効にすること、ＵＤＰ上でデータストリームを有効にすること、およびＵＤＰ上でデータストリームを無効にすることの１つまたは複数を含む、請求項２に記載の方法。
【請求項４】
前記ソースデバイスは、複数のストリーミングセッションを確立する、請求項１に記載の方法。
【請求項５】
前記接続のタイプは、イーサネット（登録商標）接続、Ｗｉ−Ｆｉ接続、ブルートゥース（登録商標）接続、またはユニバーサル  シリアル  バス接続のいずれかである、請求項１に記載の方法。
【請求項６】
前記ソースデバイスは、データプレーンおよび制御プレーンを備える、請求項１に記載の方法。
【請求項７】
ソースデバイスのプロセッサにおいて実行されるとき、
請求項１乃至６のいずれかの方法を実施するための、
そこに記憶された複数の命令を備える、コンピュータ可読媒体。
【請求項８】
メディアデータを送信するための装置であって、前記装置は、
シンクデバイスへのデータ接続を確立するための手段と、
リアルタイム  ストリーミング  プロトコル（ＲＴＳＰ）機構を使用してサービスの発見を実行するための手段と、ここにおいて、前記サービスの発見は、ソースデバイスへの前記シンクデバイスのメディア  アグノスティック  ディスプレイの複数の属性と、前記ソースデバイスと前記シンクデバイスの間の複数の接続のタイプのうちの１つの接続のタイプを提供し、
前記接続のタイプと前記メディア  アグノスティック  ディスプレイの複数の属性に少なくとも部分的に基づいて、前記ソースデバイスにおいてアプリケーションデータをカプセル化するための手段と、
前記ソースデバイスと前記シンクデバイスの間のストリーミングセッションを確立するための手段と、および
前記シンクデバイスに前記カプセル化されたアプリケーションデータを、前記ストリーミングセッション中に、送るための手段と、
を備え、
ここにおいて、前記メディア  アグノスティック  ディスプレイの複数の属性は、
ディスプレイ  デバイスの情報、複数のディスプレイ  オーディオ  フォーマット、複数のディスプレイ  ビデオ  フォーマット、複数のディスプレイ３Ｄビデオ  フォーマット、コンテンツの保護、グラフィックス  エンティティ  エンジン、およびベンダ特有の情報、のうちの１つまたは複数を含む、
装置。
【請求項９】
前記ソースデバイスのディスプレイを、前記シンクデバイスのディスプレイにおいておよび前記カプセル化されたアプリケーションデータに少なくとも部分的に基づいて、映すための手段と、
前記ソースデバイスからの前記ストリーミングセッションの１つまたは複数のストリーミングの属性を制御するための相互作用を、ユーザ  インターフェース  バック  チャネルを介して、可能にするための手段と、および
質の悪い接続を示す前記複数のストリーミングの属性に応答して、前記ストリーミングセッションの前記１つまたは複数のストリーミングの属性を適応するための手段と、
をさらに備える、請求項８に記載の装置。
【請求項１０】
前記１つまたは複数のストリーミングの属性は、解像レート、リフレッシュレート、コーデックレベル、コーデックプロファイル、特定のデータストリームを有効にすること、特定のデータストリームを無効にすることと、ＴＣＰ上でデータストリームを有効にすること、ＴＣＰ上でデータストリームを無効にすること、ＵＤＰ上でデータストリームを有効にすること、およびＵＤＰ上でデータストリームを無効にすること、の１つ又は複数を含む、請求項９に記載の装置。
【請求項１１】
ストリーミングセッションを確立するための前記手段は、複数のストリーミングセッションを確立するための手段を備える、請求項８に記載の装置。
【請求項１２】
前記接続のタイプは、イーサネット接続、Ｗｉ−Ｆｉ接続、ブルートゥース接続、またはユニバーサル  シリアル  バス接続のいずれかである、請求項８に記載の装置。
【請求項１３】
前記装置は、データプレーンおよび制御プレーンを備える、請求項８に記載の装置。
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
存在する順に：
シグナル配列をコードする核酸配列；
細胞小器官内安定化／輸送ドメインをコードする核酸配列；
ピーナッツアレルゲンドメインをコードする核酸配列であって、前記ピーナッツアレルゲンドメインが、前記ピーナッツアレルゲンについての天然シグナル配列を含まない少なくとも１つのピーナッツアレルゲンを含む、核酸配列；
膜貫通ドメインをコードする核酸配列；及び
エンドソーム／リソソーム標的ドメインをコードする核酸配列
を含む、単離された又は精製された核酸分子。
【請求項２】
前記シグナル配列、前記細胞小器官内安定化／輸送ドメイン、前記膜貫通ドメイン、及び／又は前記エンドソーム／リソソーム標的ドメインが、リソソーム関連膜タンパク質（ＬＡＭＰ）に由来する、請求項１に記載の核酸分子。
【請求項３】
前記ＬＡＭＰが、ＬＡＭＰ−１、ＬＡＭＰ−２、ＬＡＭＰ−３（ＤＣ−ＬＡＭＰ）、ＬＩＭＰ  ＩＩ又はＥＮＤＯＬＹＮから選択される、請求項２に記載の核酸分子。
【請求項４】
（ａ）前記細胞小器官内安定化／輸送ドメインが、配列番号：１に示されるアミノ酸２８から３８０又はＬＡＭＰの管腔ドメインを含む；
（ｂ）前記膜貫通ドメインが、配列番号：１に示されるアミノ酸１６３７から１６６０を含む；及び／又は
（ｃ）前記エンドソーム／リソソーム標的ドメインが、ＹＸＸＯシグナル又はアミノ酸配列ＬＩＲＴを含む；
請求項１から３のいずれか一項に記載の核酸分子。
【請求項５】
前記ＹＸＸＯシグナルが、アミノ酸配列ＹＱＴＩ、ＹＱＲＩ、ＹＥＱＦ又はＹＨＴＬを含む、請求項４に記載の核酸分子。
【請求項６】
前記ピーナッツアレルゲンドメインをコードする核酸配列が、２つ以上のピーナッツアレルゲンエピトープをコードする核酸配列を含む、請求項１から５のいずれか一項に記載の核酸分子。
【請求項７】
前記ピーナッツアレルゲンドメインをコードする核酸配列が、３つのピーナッツアレルゲンをコードする核酸配列を含む、請求項１から６のいずれか一項に記載の核酸分子。
【請求項８】
前記少なくとも１つのピーナッツアレルゲンが、Ａｒａ  Ｈ１、Ａｒａ  Ｈ２、Ａｒａ  Ｈ３、Ａｒａ  Ｈ３ｄｅｌ又はそれらの組合せを含む、請求項１から７のいずれか一項に記載の核酸分子。
【請求項９】
前記ピーナッツアレルゲンドメインが、配列番号：２、配列番号：３、配列番号：４及び／又は配列番号：５に示されるアミノ酸配列を含む、請求項１から８のいずれか一項に記載の核酸分子。
【請求項１０】
前記ピーナッツアレルゲンエピトープ又はピーナッツアレルゲンが、リンカーによって隔てられている、請求項６から９のいずれか一項に記載の核酸分子。
【請求項１１】
前記リンカーが、アミノ酸配列ＧＧＧＧ又はＧＧＧＧＳを含む、請求項１０に記載の核酸分子。
【請求項１２】
前記核酸分子が、配列番号：１に示されるアミノ酸配列と少なくとも７０％の同一性を有するアミノ酸配列をコードする核酸配列を含む、請求項１に記載の核酸分子。
【請求項１３】
前記核酸分子が、配列番号：１に示されるアミノ酸配列と少なくとも８０％の同一性を有するアミノ酸配列をコードする核酸配列を含む、請求項１に記載の核酸分子。
【請求項１４】
前記核酸分子が、配列番号：１に示されるアミノ酸配列と少なくとも９０％の同一性を有するアミノ酸配列をコードする核酸配列を含む、請求項１に記載の核酸分子。
【請求項１５】
前記核酸分子が、配列番号：１に示されるアミノ酸配列、又は配列番号：１に示されるアミノ酸配列において１若しくは１０個以下のアミノ酸が置換、欠失、挿入及び／又は付加されたアミノ酸配列をコードする核酸配列を含む、請求項１に記載の核酸分子。
【請求項１６】
前記核酸分子が、配列番号：１に示されるアミノ酸配列をコードする核酸配列を含む、請求項１に記載の核酸分子。
【請求項１７】
前記核酸分子が、配列番号：６、配列番号：７、配列番号：８又は配列番号：２８に示されるアミノ酸配列をコードする核酸配列を含む、請求項１に記載の核酸分子。
【請求項１８】
前記核酸分子が、デオキシリボ核酸（ＤＮＡ）を含む、請求項１から１７のいずれか一項に記載の核酸分子。
【請求項１９】
請求項１から１８のいずれか一項に記載の核酸分子を含む、ベクター。
【請求項２０】
請求項１から１８のいずれか一項に記載の核酸分子を含む、細胞。
【請求項２１】
請求項１から１８のいずれか一項に記載の核酸分子によってコードされる、ポリペプチド。
【請求項２２】
請求項１から１８のいずれか一項に記載の核酸分子、請求項１９に記載のベクター、請求項２０に記載の細胞、又は請求項２１に記載のポリペプチドを含む、医薬組成物。
【請求項２３】
請求項１９に記載のベクターを含む、医薬組成物。
【請求項２４】
ピーナッツアレルギー反応の治療又は予防における使用のための、請求項２３に記載の医薬組成物。
【請求項２５】
配列番号：１に示されるアミノ酸配列をコードする核酸分子、配列番号：６に示されるアミノ酸配列をコードする核酸分子、配列番号：７に示されるアミノ酸配列をコードする核酸分子、配列番号：８に示されるアミノ酸配列をコードする核酸分子、及び／又は配列番号：２８に示されるアミノ酸配列をコードする核酸分子を含む、請求項２２に記載の医薬組成物。
【請求項２６】
ピーナッツアレルギー反応の治療又は予防における使用のための、請求項１から１８のいずれか一項に記載の核酸分子、請求項１９に記載のベクター、請求項２０に記載の細胞、請求項２１に記載のポリペプチド、又は請求項２２又は２３に記載の医薬組成物。
【請求項２７】
請求項１から１８のいずれか一項に記載の核酸分子、請求項１９に記載のベクター、請求項２０に記載の細胞、又は請求項２１に記載のポリペプチドを含有してなる、対象においてピーナッツアレルギー反応を予防する又は治療するための医薬組成物。
【請求項２８】
前記対象が、前記医薬組成物を投与のされる前にピーナッツアレルゲンに暴露されるた対象である、請求項２７に記載の医薬組成物。
【請求項２９】
前記医薬組成物が、それを投与された対象において
（ａ）ＩｇＥ応答の生成を減少させる；
（ｂ）血漿ヒスチジンレベルを低下させる；
（ｃ）ＩＬ−４の産生を減少させる；
（ｄ）ＩＦＮ−γレベルを上昇させる；
（ｅ）アレルゲン特異的ＩｇＧ応答の生成を誘導する又は増大させる；及び／又は
（ｆ）ＩｇＥ応答を減弱させる；
請求項２７又は２８に記載の医薬組成物。
【請求項３０】
前記医薬組成物が、少なくとも１つの臨床的アレルギー症状を低減する、除去する又は予防する、請求項２７から２９のいずれか一項に記載の医薬組成物。
【請求項３１】
前記医薬組成物が、筋肉内注射（ＩＭ）によって投与されることを特徴とする、請求項２７から３０のいずれか一項に記載の医薬組成物。
【請求項３２】
前記医薬組成物が、皮内（ＩＤ）注射によって投与されることを特徴とする、請求項２７から３１のいずれか一項に記載の医薬組成物。
【請求項３３】
前記対象がヒトである、請求項２７から３２のいずれか一項に記載の医薬組成物。
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
送電網ネットワークとインターフェースする方法であって、
前記送電網ネットワークとの共通結合点（ＰＣＣ）の需要家側のメーターにおいて１つ以上の外部送電網入力および１つ以上の局所的なセンサー入力を受信するステップと、
前記ＰＣＣの前記需要家側に結合している局所的な負荷の電力需要を識別するステップと、前記１つ以上の外部送電網入力、前記１つ以上の局所的なセンサー入力、および前記局所的な負荷の前記電力需要に基づいて前記ＰＣＣの前記需要家側に結合している局所的な電力変換器を用いて発生させるべき出力電力を計算するステップと、
前記計算された出力電力に基づいて前記局所的な電力変換器から電力を出力するステップとを含む、方法。
【請求項２】
前記外部送電網入力を受信するステップが、集中送電網コントローラーからのディスパッチ情報、送電網コントローラーからの特定の制御信号、または前記送電網ネットワーク内の他のノードからの送電網の状態情報のうちの１つ以上を受信するステップを含む、請求項１に記載の方法。
【請求項３】
前記出力電力を計算するステップが、最もよく一致する出力シナリオを検索するための発見的決定アルゴリズムを適用するステップを含む、請求項１に記載の方法。
【請求項４】
電力を出力するステップが、局所的な負荷が消費する電力を出力するステップか、または、局所的なエネルギー貯蔵リソースを充電するための電力を出力するステップか、または、金銭的なクレジットと引き換えに送電網の市場に有効電力を出力するステップか、または、１つ以上のアンシラリーサービスに電力を出力するステップを含む、請求項１に記載の方法。
【請求項５】
送電網システムの送電網ネットワーク内の需要家ノードであって、
１つ以上の外部送電網入力および１つ以上の局所的なセンサー入力を受信し、前記送電網ネットワークとの共通結合点（ＰＣＣ）の需要家側に結合している局所的な負荷の電力需要を識別する、前記ＰＣＣの前記需要家側のエネルギー計と、
前記ＰＣＣとのインターフェースを制御して前記ＰＣＣにおける電力潮流を制御する、前記ＰＣＣの前記需要家側に結合している局所的な電力変換器と、
前記エネルギー計から情報を受信し、前記１つ以上の外部送電網入力、前記１つ以上の局所的なセンサー入力、および前記局所的な負荷の前記電力需要に基づいて発生させるべき局所的な出力電力を計算し、前記計算された出力電力を出力するように前記電力変換器に要求するように結合されているゲートウェイコントローラーと、
を備える、需要家ノード。
【請求項６】
前記エネルギー計が、集中送電網コントローラーからのディスパッチ情報、送電網コントローラーからの特定の制御信号、または前記送電網ネットワーク内の他のノードからの送電網の状態情報のうちの１つ以上を前記外部送電網入力として受信するものである、請求項５に記載の需要家ノード。
【請求項７】
前記エネルギー計が、温度情報、または局所的なエネルギー源がエネルギーを発生させる能力に影響する１つ以上の状態に関する情報のうちの１つ以上を前記局所的なセンサー入力として受信するものである、請求項５に記載の需要家ノード。
【請求項８】
前記電力変換器が、局所的な容量向けに電力を出力するもの、または、送電網市場、または有効電力および／もしくは無効電力の送電網支援、前記送電網ネットワークへの周波数支援、自力起動動作、上方調整動作、下方調整動作、もしくはこれらの組み合わせを含む１つ以上のアンシラリーサービスに電力を出力するものである、請求項５に記載の需要家ノード。
【請求項９】
送電網システムであって、
前記送電網システムの送電網ネットワークとの共通結合点（ＰＣＣ）の需要家側に結合している、有効電力を発生させる局所的なエネルギー源と、
前記ＰＣＣにおいて前記局所的なエネルギー源に結合している制御ノードであって、該制御ノードは、
１つ以上の外部送電網入力および１つ以上の局所的なセンサー入力を受信し、前記送電網ネットワークとの共通結合点（ＰＣＣ）の需要家側に結合している局所的な負荷の電力需要を識別する、前記ＰＣＣの前記需要家側のエネルギー計と、
前記ＰＣＣとのインターフェースを制御して前記ＰＣＣにおける電力潮流を制御する、前記ＰＣＣの前記需要家側に結合している局所的な電力変換器と、
前記エネルギー計から情報を受信し、前記１つ以上の外部送電網入力、前記１つ以上の局所的なセンサー入力、および前記局所的な負荷の前記電力需要に基づいて発生させるべき局所的な出力電力を計算し、前記局所的なエネルギー源による発電を含む前記計算された出力電力を出力するように前記電力変換器に要求するように結合されているゲートウェイコントローラーと、を備える、送電網システム。
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
送電網を制御する方法であって、
公益事業体の送電網との共通結合点（ＰＣＣ）における発電量および電力需要を前記ＰＣＣを境に前記発電量および電力需要と同じ側にあり前記ＰＣＣを境に集中送電網管理装置とは反対側にある制御ノードを用いて監視するステップと、
前記ＰＣＣを介して前記制御ノードと前記集中送電網管理装置との間のインターフェースを調節して前記ＰＣＣにおける送電網の規制の準拠を維持するステップとを含む、方法。
【請求項２】
前記ＰＣＣが顧客の施設と前記送電網との接続、又は複数の顧客の施設を包含する近隣地域の送電網との接続を備える、請求項１に記載の方法。
【請求項３】
前記ＰＣＣが前記送電網の下流側に少なくとも１つの追加のＰＣＣを含む、請求項１に記載の方法。
【請求項４】
前記インターフェースを調節するステップが、前記ＰＣＣにおける無効電力の位相オフセットを調節するステップを含む、請求項１に記載の方法。
【請求項５】
前記無効電力の前記位相オフセットを調節するステップが、前記ＰＣＣの同じ側にある発電リソースからの無効電力出力の量を前記送電網との前記ＰＣＣを介して変化させるステップを含む、請求項１に記載の方法。
【請求項６】
送電網を制御する装置であって、
需要家ノードの共通結合点（ＰＣＣ）において前記送電網と結合する送電網接続装置と、
前記ＰＣＣにおいて前記ＰＣＣの需要家ノード側の発電量および電力需要を監視するコントローラーと、 
前記ＰＣＣを介して前記装置と集中送電網管理装置との間のインターフェースを調節して前記ＰＣＣの前記需要家ノード側から前記ＰＣＣにおける送電網の規制の準拠を維持する電力変換器と、を備える、装置。
【請求項７】
前記ＰＣＣが、顧客の施設の送電網と前記送電網との接続、複数の顧客の施設を包含する前記送電網のサブセクションの送電網との接続、近隣地域と前記送電網との接続、または前記送電網のインフラストラクチャーの変圧器を含む接続点を備える、請求項６に記載の装置。
【請求項８】
前記電力変換器は、前記送電網から見たときの電力の無効電力成分の前記ＰＣＣにおける調節を含め、前記インターフェースを調節するものである、請求項６に記載の装置。
【請求項９】
前記電力変換器は、前記送電網から見たときの電力の有効電力成分の前記ＰＣＣにおける調節を含め、前記インターフェースを調節するものである、請求項６に記載の装置。
【請求項１０】
電力計量装置であって、
需要家ノードの共通結合点（ＰＣＣ）において前記送電網と結合する送電網接続装置と、
前記ＰＣＣにおいて前記ＰＣＣの需要家ノード側の発電量および電力需要を監視するコントローラーと、
電力変換器に接続される入出力部（ｉｎｐｕｔ／ｏｕｔｐｕｔ：Ｉ／Ｏ）と
を備え、前記コントローラーは、前記Ｉ／Ｏを介して１つ以上の信号を前記電力変換器に送って、前記電力変換器に前記ＰＣＣを介して前記装置と集中送電網管理装置との間のインターフェースを調節させて、前記電力計量装置による監視に応じて前記ＰＣＣの需要家ノード側から前記ＰＣＣにおける送電網の規制の準拠を維持させる、電力計量装置。
【請求項１１】
前記コントローラーは、再生エネルギー源によって発電された電力の前記需要家ノードにおける監視を含め、前記発電を監視するものである、請求項１０に記載の電力計量装置。
【請求項１２】
前記コントローラーが、前記Ｉ／Ｏを介して信号を送って、前記電力変換器に、前記送電網から見たときの電力の無効電力成分の前記ＰＣＣにおける調節を含め、前記インターフェースを調節させる、請求項１０に記載の電力計量装置。
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
誘導型電力伝送フィールドにおける異物の存在を判定する方法であって、
誘導型電力システムの制御回路が、
直流−交流コンバータに電力を供給するステップと、
送信機コイルへ前記コンバータから電力を供給するステップと、
前記送信機コイルにおける無効電力を推定するステップと、
前記送信機コイルにおける有効電力を推定するステップと、
推定された前記無効電力と推定された前記有効電力とを用いて、異物が存在するかを判定するステップと、
を実行することを特徴とする方法。
【請求項２】
前記コンバータへの直流電流をセンスして、この値を電源電圧の値と合成することによって前記有効電力を推定するステップ、及び／又は、
前記送信機コイルを通るピーク交流電流をセンスすることにより、前記無効電力を推定するステップ、
をさらに含む、ことを特徴とする請求項１に記載の誘導型電力伝送フィールドにおける異物の存在を判定する方法。
【請求項３】
前記送信機コイルにおけるピーク電圧と合成された前記送信機コイルを通るセンスされた交流電流として、前記無効電力を推定するステップをさらに含む、ことを特徴とする請求項２に記載の誘導型電力伝送フィールドにおける異物の存在を判定する方法。
【請求項４】
前記送信機コイルを通る瞬時電流及び電圧波形をサンプリングするステップ、
サンプリングされた前記瞬時電流及び電圧波形を乗算し、前記乗算の積を積分し、サンプリングされた時間によって前記積分を除算した結果として前記有効電力を推定するステップ、及び／又は、
サンプリングされた電圧及び電流波形の二乗平均平方根値を計算し、その二乗平均平方根電流と二乗平均平方根電圧の積として皮相電力を推定し、前記推定された有効電力及び推定された皮相電力に基づいて前記無効電力を推定するステップ、
をさらに含む、ことを特徴とする請求項１に記載の誘導型電力伝送フィールドにおける異物の存在を判定する方法。
【請求項５】
前記送信機コイルを通る電圧の大きさをセンスし、前記送信機コイルを通る電流の大きさをセンスし、前記電圧の波形と電流波形との間の位相差をセンスするステップ、
前記送信機コイルを通る前記電圧および電流の大きさと、前記電圧の波形と電流波形との間の前記位相差の余弦とから前記有効電力を推定するステップ、及び／又は、
前記送信機コイルを通る前記電圧および電流の大きさと、前記電圧の波形と電流波形との間の前記位相差の正弦とから前記無効電力を推定するステップと、さらに含むことを特徴とする請求項１に記載の誘導型電力伝送フィールドにおける異物の存在を判定する方法。
【請求項６】
複数の周波数において前記有効電力及び無効電力をセンスするステップをさらに含む、ことを特徴とする請求項１から５のいずれか１項に記載の誘導型電力伝送フィールドにおける異物の存在を判定する方法。
【請求項７】
前記推定した値を結合してデータセットとするステップと、当該データセットの少なくとも１つの特性を判定するステップをさらに含む、ことを特徴とする請求項６に記載の誘導型電力伝送フィールドにおける異物の存在を判定する方法。
【請求項８】
前記特性は中心、サイズ、又は平均値のうちの１つである、ことを特徴とする請求項７に記載の誘導型電力伝送フィールドにおける異物の存在を判定する方法。
【請求項９】
前記データセットに応じて、測定値が異物に関するかを区別するステップをさらに含む、ことを特徴とする請求項７又は８に記載の誘導型電力伝送フィールドにおける異物の存在を判定する方法。
【請求項１０】
受信機が存在せず異物が存在しないときに各送信機コイルについて有効電力及び無効電力のキャリブレーション値を記憶するステップ、及び／又は、
複数の周波数において各送信機コイルについて有効電力及び無効電力のキャリブレーション値を記憶するステップ、及び／又は、
推定された前記有効電力及び無効電力を前記キャリブレーション値と比較するステップをさらに含む、ことを特徴とする請求項１から９のいずれか１項に記載の誘導型電力伝送フィールドにおける異物の存在を判定する方法。
【請求項１１】
送信機コイルに電力を供給するステップの前に前記誘導型電力伝送フィールドの受信機を近接させるステップをさらに含む、ことを特徴とする請求項１から１０のいずれか１項に記載の誘導型電力伝送フィールドにおける異物の存在を判定する方法。
【請求項１２】
受信機は、所定の期間の間又は送信機から信号を送信されるまで、電流が取り出されないスタートアップシーケンスを実行するように適合される、ことを特徴とする請求項１１に記載の誘導型電力伝送フィールドにおける異物の存在を判定する方法。
【請求項１３】
前記有効電力及び無効電力を推定する前に、前記受信機の電流と電圧との少なくともいずれかが安定状態に達するのを待つステップをさらに含む、ことを特徴とする請求項１１又は１２に記載の誘導型電力伝送フィールドにおける異物の存在を判定する方法。
【請求項１４】
前記受信機が実質的に電流を取り出さないときに前記有効電力及び無効電力を推定するステップをさらに含む、ことを特徴とする請求項１２に記載の誘導型電力伝送フィールドにおける異物の存在を判定する方法。
【請求項１５】
請求項１〜１４のいずれか１項に記載された方法を実行するように構成されることを特徴とする誘導型電力伝送装置。
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
ＤＮＡ試料中の目的の領域中の遺伝的多様体を検出するための方法であって、
（ｉ）所与のシーケンシングプラットフォーム、シーケンシング工程およびシーケンシング深度について、それ以上で増幅反応物のシーケンシング結果において前記遺伝的多様体が観察されるべき閾値頻度を確定して所与の増幅反応物中の前記遺伝的多様体の存在について陽性判定を割り付けることであって、増幅およびシーケンシング誤差により増幅反応物のシーケンシング結果で観察されると予測される遺伝的多様体を裏づけるリード数の分布（リードカウント分布）に前記閾値頻度が基づくこと；
（ｉｉ）前記遺伝的多様体について、反復増幅反応物中の目的の領域の増幅可能なテンプレート分子の平均数がステップ（ｉ）において決定された閾値頻度の逆数よりも少なくなるように、前記ＤＮＡ試料を複数の反復増幅反応物に分配すること；
（ｉｉｉ）ステップ（ｉｉ）の増幅反応を実施することおよび増幅反応の産物をシーケンシングすること；
（ｉｖ）ステップ（ｉ）およびステップ（ｉｉｉ）の結果に基づいて、各反復増幅反応物中の前記遺伝的多様体の有無を決定すること；ならびに
（ｖ）（ｉｖ）の結果を統合して前記ＤＮＡ試料中の目的の領域中の前記遺伝的多様体の有無を決定すること、
を含む、方法。
【請求項２】
ステップ（ｖ）において前記遺伝的多様体が前記ＤＮＡ試料中の目的の領域中に存在すると決定されるために、ステップ（ｉｖ）において前記遺伝的多様体の存在についての陽性判定が１つよりも多くの反復増幅反応物においてなされなければならない、請求項１に記載の方法であって、必要に応じて、ステップ（ｉｖ）において前記遺伝的多様体の存在について陽性判定が少なくとも３つの反復増幅反応物においてなされなければならない、方法。
【請求項３】
ステップ（ｉ）の閾値頻度が、その頻度で前記遺伝的多様体を観察する確率についての累積分布関数値が０．９９以上、０．９９５以上、０．９９９以上、０．９９９９以上または０．９９９９９以上である頻度である、請求項１または２に記載の方法。
【請求項４】
ステップ（ｉ）の閾値頻度が、二項分布、過分散二項分布、ベータ分布、正規分布、指数分布またはガンマ確率分布のモデルを用いて決定される、請求項１〜３のいずれか１項に記載の方法。
【請求項５】
ステップ（ｉ）が、
（ａ）複数の遺伝的多様体についてのリードカウント分布に基づいて、それ以上で増幅反応物のシーケンシング結果において前記遺伝的多様体が観察されるべき複数の閾値頻度を確定して所与の増幅反応物中の前記遺伝的多様体の存在について陽性判定を割り付けること、および
（ｂ）ステップ（ａ）に基づいて、それ以上で所与の増幅反応物のシーケンシング結果において遺伝的多様体が観察されるべき全体的閾値頻度を確定して前記増幅反応物中の前記遺伝的多様体の存在について陽性判定を割り付けることであって、前記全体的閾値頻度が、ステップ（ａ）において決定された複数の閾値頻度の少なくとも９０％、９５％、９７．５％、９９％またはそれを超える閾値頻度がこの値未満である閾値頻度であること、
を含む、請求項１〜４のいずれか１項に記載の方法。
【請求項６】
反復増幅反応物中に存在する増幅可能なテンプレート分子の平均数が、反復増幅反応物の１つの増幅可能なテンプレート分子中に前記遺伝的多様体が存在する場合に、その反復測定物について陽性判定がなされる確率が０．９以上である数である、請求項１〜５のいずれか１項に記載の方法。
【請求項７】
所与のシーケンシングプラットフォーム、シーケンシング工程およびシーケンシング深度について、増幅およびシーケンシング誤差により増幅反応物のシーケンシング結果で観察されると予測される遺伝的多様体または複数の遺伝的多様体を裏づけるリード数の分布（リードカウント分布）を決定するステップを含み、必要に応じて、リードカウント分布を決定する方法が、ＤＮＡ試料を複数回シーケンシングして遺伝的多様体または複数の遺伝的多様体について前記リードカウント分布を決定することをさらに含む、請求項１〜６のいずれか１項に記載の方法。
【請求項８】
前記リードカウント分布が、場合により配列状況を考慮して、シーケンサーおよび／またはポリメラーゼの誤り率に基づいている、請求項１〜６のいずれか１項に記載の方法。
【請求項９】
データベース、チャート、表、リスト、カタログ、インデックス、ディレクトリ、またはレジスタにおいて遺伝的多様体または複数の遺伝的多様体について前記リードカウント分布のための参照値または複数の参照値を「探索すること」を含み、必要に応じて、前記参照値または複数の参照値が、遺伝的多様体または複数の遺伝的多様体について前記リードカウント分布を決定するために、ＤＮＡ試料を複数回シーケンシングすることにより決定されたものである、請求項１〜５のいずれか１項に記載の方法。
【請求項１０】
ステップ（ｉｉ）における前記ＤＮＡ試料の分配に続いて、各反復増幅反応物が、反復増幅反応物あたり目的の領域について１より多い増幅可能なテンプレート分子を有し、必要に応じて、反復増幅反応物あたりの増幅可能なテンプレート分子の平均数が、１より多く１０００未満、２より多く１０００未満、または５より多く１０００未満である、請求項１〜９のいずれか１項に記載の方法。
【請求項１１】
２％未満、１％未満、０．５％未満、０．２％未満、０．１％未満または０．０５％未満の頻度でＤＮＡ試料の増幅可能なテンプレート分子の集団内に存在する遺伝的多様体を検出することが可能である、請求項１〜１０のいずれか１項に記載の方法。
【請求項１２】
前記ＤＮＡ試料を複数の反復増幅反応物に分配することが、前記ＤＮＡ試料を希釈することおよび反復増幅反応物に分取することを含む、請求項１〜１１のいずれか１項に記載の方法。
【請求項１３】
反復増幅反応が、並行して実施され、かつ増幅反応の産物のシーケンシングが、並行して実施され、
必要に応じて、増幅反応が、目的の領域に隣接する１つまたは複数のプライマー対を使用して実施されて試料および／または増幅反応反復測定物の特異的識別子配列を増幅の産物中に組み込み、
さらに必要に応じて、前記プライマーが、配列アダプターを増幅の産物中に組み込む、
請求項１〜１２のいずれか１項に記載の方法。
【請求項１４】
複数の目的の領域が、並行して分析される、請求項１〜１３のいずれか１項に記載の方法。
【請求項１５】
（ｖｉ）前記ＤＮＡ試料中の遺伝的多様体の頻度を決定すること、
をさらに含む、請求項１〜１４のいずれか１項に記載の方法。
【請求項１６】
対象から得られた試料中の循環する腫瘍ＤＮＡを検出および／または定量するための、
診断もしくは予知または疾患のモニタリングのインビトロ方法における、
治療のための患者を選択する方法における、
易罹患性、治療への耐性または応答を予測する遺伝的多様性を同定する方法における、あるいは
治療への応答をモニタリングまたは評価するための、
請求項１〜１５のいずれか１項に記載の方法の利用。
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
発酵プロセスであって、
ａ）ＣＯ及び塩基性中和剤を含むガス基質流を、液体栄養培地中のカルボキシド栄養性細菌培養物を含むバイオリアクタに供給し、
ｂ）培養物を発酵させ、ここでガス基質流中のＣＯの少なくとも一部がエタノール及び酸性代謝物を含む生成物に変換され、
ｃ）前記生成物の生産を、
１）酸性代謝物濃度、カルボキシド栄養性細菌濃度、及びカルボキシド栄養性細菌生産性を測定し、
２）式（１）又は（２）：
【数１】
2017521077.tif 000001
（式中、ＢＩＯＣＯＮｍｖは、培養培地中のカルボキシド栄養性細菌の測定された濃度を表し、ＢＩＯＰＲＯＤｍｖは、カルボキシド栄養性細菌の測定された生産性を表し、Ａ1、Ａ2、Ｂ1及びＢ2は定数を表す。）
のいずれかに従って酸性代謝物設定値濃度を決定し、
３）酸性代謝物濃度が酸性代謝物設定値濃度未満である場合、塩基性中和剤流量を増加させ、そして
４）酸性代謝物濃度が酸性代謝物設定値濃度よりも高い場合、塩基性中和剤流量を減少させること、
により最適化することを含む、前記プロセス。
【請求項２】
前記酸性代謝物の測定された濃度は、断続的又は連続的に判定される、請求項１に記載のプロセス。
【請求項３】
前記定数Ａ1、Ａ2、Ｂ1及びＢ2は、実験データから実験的に決定される、請求項１に記載のプロセス。
【請求項４】
前記カルボキシド栄養性細菌の濃度は、断続的又は連続的に判定される、請求項１に記載のプロセス。
【請求項５】
前記プロセスは、バッチ操作期間の間に行われる、請求項１に記載のプロセス。
【請求項６】
前記ＣＯ含有基質は、鋼製造プロセス、非鉄製品製造プロセス、石油精製プロセス、バイオ燃料生成プロセス、石炭ガス化プロセス、電力生産プロセス、カーボンブラック生成プロセス、アンモニア生成プロセス、メタノール生成プロセス、有機物のガス化、炭化水素の水蒸気改質、及びコークス製造プロセスからなる群から選択される産業プロセスから得られる、請求項１に記載のプロセス。
【請求項７】
前記酸性代謝物は、酢酸である、請求項１に記載のプロセス。
【請求項８】
前記塩基性中和剤は、水酸化アンモニウム溶液である、請求項１に記載のプロセス。
【請求項９】
バイオリアクタに希釈剤を流すことをさらに含む、請求項１に記載のプロセスであって、希釈剤流量は、式（３）又は（４）：
【数２】
2017521077.tif 000002
（式中、ＢＩＯＣＯＮｍｖは、培養培地中のカルボキシド栄養性細菌の濃度を表し、ＢＩＯＰＲＯＤｍｖは、カルボキシド栄養性細菌の測定された生産性を表し、Ｃ1及びＣ2は、実験データから、実験的に決定された定数を表す。）
によって決定される、前記プロセス。
【請求項１０】
発酵プロセスであって、
ａ）ＣＯ及び塩基性中和剤を含む基質流を、液体栄養培地中のカルボキシド栄養性細菌培養物を含むバイオリアクタに供給し、
ｂ）培養物を発酵させ、ここでガス基質流中のＣＯの少なくとも一部がエタノール及び酸性代謝物を含む生成物に変換され、
ｃ）バイオリアクタへの塩基性中和剤の流量を調節して前記生成物の生産を最適化することを含み、
ここで、塩基性中和剤の流量は、次式：
【数３】
2017521077.tif 000003
（式中、ＣＯＦＬＯｍｖは基質流量を表し、Ｙ及びＺは、実験データから、実験的に決定された定数を表す。）
によって決定される、
前記プロセス。
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
骨形成活性を欠いている骨形成タンパク質9（BMP9）のバリアント、及び、骨形成活性を欠いているプロドメインと結合した形態のBMP9（プロBMP9）のバリアントから選択されるポリペプチドを含む、血管疾患又は呼吸器疾患の治療のための医薬組成物。
【請求項２】
前記血管疾患が：肺高血圧症; 肺動脈性肺高血圧症; 遺伝性出血性毛細血管拡張症; アテローム性動脈硬化症; 及び肝肺症候群から選択される、請求項1記載の医薬組成物。
【請求項３】
前記血管疾患が、肺動脈性肺高血圧症である、請求項1又は2記載の医薬組成物。
【請求項４】
前記呼吸器疾患が、閉塞性肺疾患、例えば慢性閉塞性肺疾患（COPD）、慢性気管支炎及び肺気腫; 肺血管疾患、例えば肺水腫及び肺出血; 呼吸不全及び呼吸促迫症候群、例えば急性肺傷害及び急性呼吸促迫症候群; 並びに間質性肺疾患、例えば特発性肺線維症から選択される、請求項1記載の医薬組成物。
【請求項５】
前記ポリペプチドが、前記BMP9のバリアントである、請求項1〜4のいずれか1項記載の医薬組成物。
【請求項６】
前記ポリペプチドが、前記プロBMP9のバリアントである、請求項1〜4のいずれか1項記載の医薬組成物。
【請求項７】
前記プロBMP9のバリアントが、配列番号：4の残基320-429のアミノ酸配列を有する成熟BMP9配列と非共有結合的に結合した、配列番号：4の残基23-319のアミノ酸配列を有するプロペプチド配列のバリアントを含む、請求項6記載の医薬組成物。
【請求項８】
前記プロBMP9のバリアントが、2つの前記プロペプチド配列及び2つの前記成熟BMP9配列を含む四量体を含む、請求項7記載の医薬組成物。
【請求項９】
前記BMP9のバリアント又は前記プロBMP9のバリアントが、配列番号：4のアミノ酸配列の置換、欠失、又は挿入変異体、例えば、配列番号：4のアミノ酸配列の置換変異体を含む、請求項1〜8のいずれか1項記載の医薬組成物。
【請求項１０】
前記配列番号：4のアミノ酸配列の置換変異体が、以下の置換：H326A、D342A、S343A、W344A、I346A、K349A、F362A、D366A、K372A、I375A、L379A、H381A、L382A、K383A、K390A、S402A、L404A、K406A、D408A、V411A、T413A、L414A、Y416A、及びY418A、例えばH326A、S343A、K349A、F362A、D366A、I375A、L379A、L382A、K390A、S402A、D408A、Y416A、及びY418A、特にF362A、D366A、I375A、L379A、S402A、D408A、Y416A、及びY418A、とりわけD366A、及びD408Aの1以上、例えば1つを含む、請求項9記載の医薬組成物。
【請求項１１】
前記配列番号：4のアミノ酸配列の置換変異体が、（例えば、配列番号：5のアミノ酸配列を含む）単一変異体D366A、及び、（例えば、配列番号：6のアミノ酸配列を含む）単一変異体D408Aから選択される、請求項10記載の医薬組成物。
【請求項１２】
血管疾患又は呼吸器疾患の治療のための医薬の製造における、骨形成活性を欠いている骨形成タンパク質9（BMP9）のバリアント、及び、骨形成活性を欠いているプロドメインと結合した形態のBMP9（プロBMP9）のバリアントから選択されるポリペプチドの使用。
【請求項１３】
配列番号：5のアミノ酸配列又は配列番号：6のアミノ酸配列を含む、BMP9のバリアント。
【請求項１４】
請求項13記載のBMP9のバリアントを含む、医薬組成物。
【請求項１５】
骨形成活性を欠いているBMP9のバリアント、又は、骨形成活性を欠いているプロBMP9のバリアントをコードするヌクレオチド配列を含むベクターを含む、血管疾患又は呼吸器疾患の治療のための医薬組成物。
【請求項１６】
前記ベクターが、ウイルスベクター、例えば：レトロウイルス、アデノウイルス、レンチウイルス、単純ヘルペス、ワクシニア、及びアデノ随伴ウイルス、特にアデノ随伴ウイルスから選択されるウイルスのベクターである、請求項15記載の医薬組成物。
【請求項１７】
血管疾患又は呼吸器疾患の治療のための医薬の製造における、骨形成活性を欠いているBMP9のバリアント、又は、骨形成活性を欠いているプロドメインと結合した形態のBMP9のバリアントをコードするヌクレオチド配列を含むベクターの使用。
【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
呼吸器系パラミクソウイルス由来のヘマグルチニン−ノイラミニダーゼ（ＨＮ）及び融合（Ｆ）タンパク質でシュードタイプ化されたレンチウイルスベクターであって、プロモーターと導入遺伝子とを含み、前記プロモーターと前記導入遺伝子との間に位置するイントロンを欠く、前記レンチウイルスベクター。
【請求項２】
ヒト免疫不全ウイルス（ＨＩＶ）ベクター、サル免疫不全ウイルス（ＳＩＶ）ベクター、ネコ免疫不全ウイルス（ＦＩＶ）ベクター、ウマ感染性貧血ウイルス（ＥＩＡＶ）ベクター、及びビスナ／マエディウイルスベクターからなる群から選択される、請求項１に記載のレンチウイルスベクター。
【請求項３】
ＳＩＶベクターである、請求項１又は２に記載のレンチウイルスベクター。
【請求項４】
呼吸器系パラミクソウイルスがセンダイウイルスである、請求項１〜３のいずれかに記載のレンチウイルスベクター。
【請求項５】
プロモーターが、サイトメガロウイルス（ＣＭＶ）プロモーター、伸長因子１ａ（ＥＦ１ａ）プロモーター、及びハイブリッドヒトＣＭＶエンハンサー／ＥＦ１ａ（ｈＣＥＦ）プロモーターからなる群から選択される、請求項１〜４のいずれかに記載のレンチウイルスベクター。
【請求項６】
ハイブリッドヒトＣＭＶエンハンサー／ＥＦ１ａ（ｈＣＥＦ）プロモーターを含む、請求項１〜５のいずれかに記載のレンチウイルスベクター。
【請求項７】
導入遺伝子が、ＣＦＴＲ、ＤＮＡＨ５、ＤＮＡＨ１１、ＤＮＡＩ１、及びＤＮＡＩ２、アルファ−１アンチトリプシン（Ａ１ＡＴ）、サーファクタントタンパク質Ｂ（ＳＦＴＰＢ）、第VIII因子、フォン・ヴィレブランド因子又は顆粒球−マクロファージコロニー刺激因子（ＧＭ−ＣＳＦ）から選択される、請求項１〜６のいずれかに記載のレンチウイルスベクター。
【請求項８】
導入遺伝子がＣＦＴＲをコードする、請求項１〜７のいずれかに記載のレンチウイルスベクター。
【請求項９】
導入遺伝子がＡ１ＡＴをコードする、請求項１〜７のいずれかに記載のレンチウイルスベクター。
【請求項１０】
導入遺伝子がＦVIIIをコードする、請求項１〜７のいずれかに記載のレンチウイルスベクター。
【請求項１１】
プロモーターがｈＣＥＦプロモーターであり、導入遺伝子がＣＦＴＲをコードする、請求項１〜７のいずれかに記載のレンチウイルスベクター。
【請求項１２】
プロモーターがｈＣＥＦプロモーターであり、導入遺伝子がＡ１ＡＴをコードする、請求項１〜７及び９のいずれかに記載のレンチウイルスベクター。
【請求項１３】
プロモーターがｈＣＥＦ又はＣＭＶプロモーターであり、導入遺伝子がＦVIIIをコードする、請求項１〜７及び９のいずれかに記載のレンチウイルスベクター。
【請求項１４】
以下のステップを含む、レンチウイルスを産生する方法。
（ａ）細胞を浮遊状態で増殖させるステップ；
（ｂ）１又は２以上のプラスミドを、前記細胞にトランスフェクトするステップ；
（ｃ）ヌクレアーゼを添加するステップ；
（ｄ）レンチウイルスを採取するステップ；
（ｅ）トリプシンを添加するステップ；及び
（ｆ）精製ステップ；
【請求項１５】
ステップ（ａ）〜（ｆ）が、順次実施される、請求項１４に記載の方法。
【請求項１６】
細胞が、ＨＥＫ２９３Ｔ又は２９３Ｔ／１７細胞である、請求項１４又は１５に記載の方法。
【請求項１７】
ヌクレアーゼの添加が、採取前の段階にある、請求項１４〜１６のいずれかに記載の方法。
【請求項１８】
トリプシンの添加が、採取後の段階にある、請求項１４〜１７のいずれかに記載の方法。
【請求項１９】
精製ステップが、クロマトグラフィーステップを含む、請求項１４〜１８のいずれかに記載の方法。
【請求項２０】
請求項１〜１３のいずれかに記載のレンチウイルスベクターを含む、疾患の処置剤。
【請求項２１】
疾患が、嚢胞性線維症（ＣＦ）；原発性線毛運動障害（ＰＣＤ）；サーファクタントタンパク質Ｂ（ＳＰ−Ｂ）欠損症；アルファ１−アンチトリプシン欠損症（Ａ１ＡＤ）；肺胞タンパク症（ＰＡＰ）；及び慢性閉塞性肺疾患（ＣＯＰＤ）から選択される肺疾患である、請求項２０に記載の処置剤。
【請求項２２】
導入遺伝子が第VIII因子であり、疾患が血友病である、請求項２０に記載の処置剤。
【請求項２３】
請求項１〜７、８及び１１のいずれかに記載のレンチウイルスベクターを含む、嚢胞性線維症（ＣＦ）の治療剤。
【請求項２４】
請求項１〜７、９及び１２のいずれかに記載のレンチウイルスベクターを含む、アルファ−１アンチトリプシン（Ａ１ＡＴ）欠損症の治療剤。
【請求項２５】
請求項１〜７、１０及び１３のいずれかに記載のレンチウイルスベクターを含む、血友病の治療剤。
【請求項２６】
請求項１〜１３のいずれかに記載のベクターを含む宿主細胞。
【請求項２７】
請求項１〜１３のいずれかに記載のベクターと、薬学的に許容される担体とを含む組成物。
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
生物学的サンプルから胎児有核赤血球（ｆＮＲＢＣ）を濃縮する方法であって、
（ａ）前記生物学的サンプルを密度分離にかけて、ｆＮＲＢＣ含有細胞画分を得るステップ；
（ｂ）ステップ（ａ）において得た前記ｆＮＲＢＣ含有細胞画分を、少なくとも１つのｆＮＲＢＣポジティブ選択試薬を用いる磁気活性化細胞ソーティング（ＭＡＣＳ）にかけて、ＭＡＣＳでソートした細胞集団を得るステップ；
（ｃ）ステップ（ｂ）において得た、前記ＭＡＣＳでソートした細胞集団中の細胞を、少なくとも１つのｆＮＲＢＣポジティブ選択試薬で蛍光標識して、蛍光標識細胞集団を得るステップ；および
（ｄ）ステップ（ｃ）において得た前記蛍光標識細胞集団を、フローサイトメトリーによってソートして、ｆＮＲＢＣを選択することによって、ｆＮＲＢＣが濃縮された細胞集団を得るステップ
を含む方法。
【請求項２】
ステップ（ｂ）は、少なくとも１つのｆＮＲＢＣポジティブ選択試薬を利用し、ステップ（ｃ）は、少なくとも２つのｆＮＲＢＣポジティブ選択試薬を利用する、または
ステップ（ｂ）は、少なくとも１つのｆＮＲＢＣポジティブ選択試薬を利用し、ステップ（ｃ）は、少なくとも３つのｆＮＲＢＣポジティブ選択試薬を利用する、
請求項１に記載の方法。
【請求項３】
ステップ（ｂ）の少なくとも１つのｆＮＲＢＣポジティブ選択試薬は、モノクローナル抗体４Ｂ９、抗ＣＤ２３５ａ抗体もしくは核染色剤を含む、かつ／または
ステップ（ｃ）の少なくとも１つのｆＮＲＢＣポジティブ選択試薬はモノクローナル抗体４Ｂ９を含む、
請求項１または２に記載の方法。
【請求項４】
個々のｆＮＲＢＣまたはｆＮＲＢＣの群を単離するための顕微操作をさらに含む、請求項１から３のいずれか一項に記載の方法。
【請求項５】
生物学的サンプルからｆＮＲＢＣを濃縮する方法であって、
（ａ）前記生物学的サンプルを密度分離にかけて、ｆＮＲＢＣ含有細胞画分を得るステップ；
（ｂ）ステップ（ａ）において得た前記ｆＮＲＢＣ含有細胞画分を、少なくとも２つのｆＮＲＢＣポジティブ選択試薬を用いるＭＡＣＳにかけて、ＭＡＣＳでソートした細胞集団を得るステップ；および
（ｃ）ステップ（ｂ）において得た、前記ＭＡＣＳでソートした細胞集団に顕微操作を実行して、個々のｆＮＲＢＣまたはｆＮＲＢＣの群を単離するステップ
を含む方法。
【請求項６】
ステップ（ｂ）の少なくとも１つのｆＮＲＢＣポジティブ選択試薬は、モノクローナル抗体４Ｂ９または抗ＣＤ２３５ａ抗体を含む、請求項１から５のいずれか１項に記載の方法。
【請求項７】
ネガティブ選択ステップを含まない、または
ステップ（ａ）において得た前記ｆＮＲＢＣ含有細胞画分を、ステップ（ｂ）の前にネガティブ選択にかける、または
ステップ（ｂ）において得た前記ＭＡＣＳでソートした細胞集団を、ステップ（ｃ）の前にネガティブ選択にかける、
請求項１から６のいずれか一項に記載の方法。
【請求項８】
前記ネガティブ選択はネガティブ免疫選択であり、
場合により、前記ネガティブ免疫選択は、
(a)Ｔリンパ球細胞表面マーカー、場合によりＣＤ３、ＣＤ４またはＣＤ８；
(b)Ｂリンパ球細胞表面マーカー、場合によりＣＤ１９、ＣＤ２０またはＣＤ３２；
(c)ｐａｎリンパ球マーカー、場合によりＣＤ４５；
(d)ＮＫ細胞表面マーカー、場合によりＣＤ５６；
(e)樹状細胞表面マーカー、場合によりＣＤ１１ｃまたはＣＤ２３；および
(f)マクロファージまたは単球細胞表面マーカー、場合によりＣＤ１４またはＣＤ３３
から選択される１つまたは複数の細胞表面マーカーに対する１つまたは複数の抗体を利用する、請求項７に記載の方法。
【請求項９】
前記生物学的サンプルは母体血液であり、前記母体血液は、場合により、妊娠約４週から約３８週の間に採取されるか、または妊娠約６週から約２０週の間に採取される、請求項１から８のいずれか一項に記載の方法。
【請求項１０】
少なくとも１個のｆＮＲＢＣの正体を胎児細胞として確認することをさらに含む、請求項１から９のいずれか一項に記載の方法。
【請求項１１】
請求項１から９のいずれか一項に記載の方法によって得られる、または得ることができる、ｆＮＲＢＣが濃縮された細胞集団。
【請求項１２】
母体血液から濃縮された、（ａ）少なくとも２、少なくとも５、もしくは少なくとも１０個の、かつ／または（ｂ）最大１５、最大２５、もしくは最大３５個のｆＮＲＢＣを含有し、
場合により（ａ）少なくとも２０、少なくとも５０、もしくは少なくとも１００の、かつ／または（ｂ）最大１５０、最大２５０、もしくは最大３５０のＦＡＣＳ事象を含有する、ＦＡＣＳでソートした細胞集団。
【請求項１３】
固定されていない、請求項１１または１２に記載の細胞集団。
【請求項１４】
胎児異常について、請求項１１から１３のいずれか一項に記載の細胞集団由来の少なくとも１個のｆＮＲＢＣを分析することを含む、胎児異常を検出する方法。
【請求項１５】
(a) 前記胎児異常について単一のｆＮＲＢＣ、または
(b) 前記胎児異常について一群のｆＮＲＢＣ
を分析することを含む、請求項１４に記載の方法。
【請求項１６】
(a) 前記分析の前に全ゲノム増幅を実行すること、または
(b) 前記分析の前にゲノムのサブセットを増幅すること
を含む、請求項１４または１５に記載の方法。
【請求項１７】
(a) 前記分析は定量ＰＣＲを含むか、または
(b) マイクロアレイ上で実行される、
請求項１４から１６のいずれか一項に記載の方法。
【請求項１８】
前記ｆＮＲＢＣを胎児細胞として確認することをさらに含み、場合により、確認が、
(a) ショートタンデムリピート（ＳＴＲ）分析、遺伝的フィンガープリンティング、もしくは単一ヌクレオチド多型（ＳＮＰ）分析を実行すること
(b) ｆＮＲＢＣ  ＤＮＡを母系ＤＮＡと比較すること、
(c) ｆＮＲＢＣ  ＤＮＡを母系ＤＮＡおよび父系ＤＮＡの両方と比較すること
(d) (a)と(b)との組合せ、または
(e) (a)と(c)との組合せ
を含む、請求項１４から１７のいずれか一項に記載の方法。